(57)【特許請求の範囲】
【請求項１】
シャッターケースは、建物外壁から持ち出し状に延びる左右のブラケット間に支持された巻取シャフトの上側の空間を覆うケース上面板と、該巻取シャフトの前側の空間を覆うケース前面板と、を備え、
前記左右のブラケット間には、前記ケース上面板の下面に近接ないし離間対向して開口幅方向に延びる１本あるいは複数本の上側ケース横材が設けてあり、
前記ケース上面板の下面には、当該下面と前記１本あるいは複数本の上側ケース横材のうちの１本の上側ケース横材との間に位置させて、制振部材が固定されており、
前記制振部材は、開口幅方向の第１の幅及び当該開口幅方向に直交する方向の第２の幅を備えたシート体であり、前記１本の上側ケース横材は、当該制振部材の第２の幅方向の重心位置を含む幅方向中間部位の下側に位置して開口幅方向に延びている、
制振部材を備えたシャッターケース。
【請求項２】
前記制振部材は、前記ケース上面板の下面に接着手段によって固定されている、請求項１に記載のシャッターケース。
【請求項３】
前記制振部材は、前記ケース上面板の下面に締結要素によって固定されている、請求項１、２いずれか１項に記載のシャッターケース。
【請求項４】
前記制振部材の下側には、前記ケース上面板の前方かつ前記ケース前面板の上方に位置する上側ケース横材が位置しており、前記制振部材の第２の幅方向の第１部分が前記ケース上面板の下面に固定されており、前記制振部材の第２の幅方向の第２部分が前記ケース前面板の内面に固定されている、請求項１〜３いずれか１項に記載のシャッターケース。
【発明の詳細な説明】
【技術分野】
【０００１】
本発明は、制振部材を備えたシャッターケースに関するものである。
【背景技術】
【０００２】
窓シャッター装置は、窓装置の屋外側の空間を開閉するように建物の外壁に取り付けられており、シャッターカーテンを収納するシャッターケースが屋外に露出しているため、雨天時には、雨滴がシャッターケースに当たって不快音が発生するおそれがある。これを防ぐために、シャッターケース上面に制振部材を設けることが行われている（図１１（Ａ）、特許文献１、２）。
【０００３】
ここで、窓シャッター装置のシャッターカーテンにより開口部が閉鎖された状態では、左右の金属製のガイドレール内に金属製のシャッターカーテンの幅方向両端部が受け入れられると共に、シャッターカーテン下端の金属製の座板が金属製の下枠に接触ないし近接した状態であり、本来的に所定の防火性能が備わっている。しかしながら、より長い避難時間を確保し、また、延焼をなるべく食い止めるためには、防火性能がより向上させることが望まれる。
【０００４】
上述のシャッターケース上面に設けられる制振部材は、例えば、樹脂製ゴムとアルミ板材とを貼り合わせたシート体であり、高温の影響を受け易い樹脂製要素を含んでいる。このようなシート状の制振部材をシャッターケース上面板の下面に接着した態様において、通常時には制振部材が落下するようなことはないが、シャッターケースが火災時の高温に晒されると、シート状の制振部材が軟化してケース上面板の下面から剥がれてシャッターケースの下部へ落下するおそれがある（図１１（Ｂ）参照）。シャッターケースの下部に落下した制振部材が発火した時には、シャッターケースの下部の隙間からケース外に火炎が出てしまうことが起こり得る。
【０００５】
ケース上面の鋼板を二重構造とし、その間に制振部材に設けることで（特許文献１、２）、制振部材の落下を防止することができるが、シャッターケースの製造が複雑かつ困難となり、コストの上昇を招くことになる。
【特許文献１】特開２０００−８７３７
【特許文献２】特開２００７−２０５０７０
【発明の開示】
【発明が解決しようとする課題】
【０００６】
本発明は、簡単な構成でありながら、ケース上面板の下面に制振部材を備えたシャッターケースにおいて、シャッターケース内面に固定（例えば、接着）された制振部材が火災時の熱によって剥がれたような場合であっても、当該制振部材が落下しないような構造を備えたシャッターケースを提供することを目的とする。
【課題を解決するための手段】
【０００７】
かかる課題を解決するべく本発明が採用した技術手段は、
シャッターケースは、建物外壁から持ち出し状に延びる左右のブラケット間に支持された巻取シャフトの上側の空間を覆うケース上面板と、該巻取シャフトの前側の空間を覆うケース前面板と、を備え、
前記左右のブラケット間には、前記ケース上面板の下面に近接ないし離間対向して開口幅方向に延びる１本あるいは複数本の上側ケース横材が設けてあり、
前記ケース上面板の下面には、当該下面と少なくとも１本の上側ケース横材との間に位置させて、制振部材が固定されている、制振部材を備えたシャッターケース、
である。
【０００８】
１つの態様では、前記制振部材は、開口幅方向の第１の幅及び当該開口幅方向に直交する方向の第２の幅を備えたシート体であり、前記上側ケース横材は、当該制振部材の第２の幅の中間部位の下側に位置して開口幅方向に延びている。
このように構成することで、制振部材の重心位置を含む幅方向中間部位の下側に上側ケース横材を位置させることができ、ケース上面板の下面に固定した制振部材が剥がれた場合であっても、当該制振部材が上側ケース横材に引っ掛かることで、シャッターケース内の下部へ落下することを防止することができる（図１０参照）。
【０００９】
１つの態様では、前記制振部材は、前記ケース上面板の下面に接着手段によって固定されている。
１つの態様では、前記制振部材は、前記ケース上面板の下面に締結要素によって固定されている。
後述する第２実施形態では、前記制振部材は、前記ケース上面板の下面に接着手段によって固定されていると共に、前記ケース上面板と当て板との間に当該制振部材を挟んで締結要素で固定されている。締結要素としては、リベットや螺子が例示される。
【００１０】
１つの態様では、前記制振部材の下側には、前記ケース上面板の前方かつ前記ケース前面板の上方に位置する上側ケース横材が位置しており、前記制振部材の第２の幅方向の第１部分が前記ケース上面板の下面に固定されており、前記制振部材の第２の幅方向の第２部分が前記ケース前面板の内面に固定されている。
【発明の効果】
【００１１】
本発明では、ケース上面板の下面には、当該下面と少なくとも１本の上側ケース横材との間に位置させて、制振部材が固定されているので、制振部材がケース上面板の下面から剥がれた場合であっても、下側の上側ケース横材に引っ掛かることで落下を防止することができる。
【図面の簡単な説明】
【００１２】
【図１】本発明の第１実施形態に係るシャッターケースを備えた窓シャッターの概略側面図である。
【図２】図１を正面から見た内観図である。
【図３】図１のシャッターケース部分の拡大図である。
【図４】本発明の第２実施形態に係るシャッターケースを示す図である。
【図５】図４を正面から見た部分内観図である。
【図６】本発明の第３実施形態に係るシャッターケースを示す図である。
【図７】図６を正面から見た部分内観図である。
【図８】本発明の第４実施形態に係るシャッターケースを示す図である。
【図９】図８を正面から見た部分内観図である。
【図１０】本発明の作用効果を説明する図である。シャッターケース及びブラケットの形状は、第１〜第４実施形態に示すものと異なる点に留意されたい。
【図１１】従来の制振部材を備えたシャッターケースを示す図である。
【発明を実施するための形態】
【００１３】
［Ａ］窓シャッター装置の基本構成
図１に示すように、窓シャッター装置は、窓開口部の上方に位置して、外壁Ｗに持ち出し状に取り付けられたシャッターケース１と、窓開口部の幅方向両側に位置して外壁Ｗに対して持ち出した位置に設けられた左右のガイドレール２と、左右のガイドレール２を持ち出し状に支持する支持枠２０と、シャッターケース１内に形成された収納部に設けた巻取シャフト３と、上端が巻取シャフト３に連結されており、巻取シャフト３に巻き取られ／繰り出されることで、幅方向両端部がガイドレール２に案内されながら昇降して窓開口部の室外側部位を開閉するシャッターカーテン４と、窓開口部の下方に位置して、外壁Ｗに持ち出し状に取り付けられた下枠（水切板）５と、を備えている。なお、窓シャッターは、本発明が適用される好適な実施形態の一つであって、本発明は窓シャッターに限定されるものではない。
【００１４】
巻取シャフト３は開口幅方向に延びており、長さ方向の両端部は、建物躯体から持ち出し状に延びる左右のブラケット６の面部６０にそれぞれ支持されている。シャッターケース１は、ブラケット６間に支持された巻取シャフト３の上側の空間を覆うケース上面板１０と、巻取シャフト３の前側の空間を覆うケース前面板１１と、を備えている。
【００１５】
［Ｂ］第１実施形態
本発明の第１実施形態について、図１〜図３に基づいて説明する。図１、図３に示すように、巻取シャフト３及び巻取シャフト３に巻装されたシャッターカーテン４を収納する収納部は、外壁Ｗより前側に位置する前側部位と、外壁Ｗよりも後側に位置する後側部位と、からなり、後側部位はアルミ型材からなるサッシ枠８により形成されており、前側部位はシャッターケース１によって形成されている。シャッターケース１は、サッシ枠８に対して着脱可能に装着できるようになっている。
【００１６】
シャッターケース１は、巻取シャフト３及び巻取シャフト３に巻装されたシャッターカーテン４の上側を覆うケース上面板１０と、巻取シャフト３及び巻取シャフト３に巻装されたシャッターカーテン４の前側を覆うケース前面板１１と、ケース前面板１１の下端から後方に延びるケース下面板１２と、を備えている。また、シャッターケース１には、開口幅方向の両側面板１３が一体形成されている。
【００１７】
図３に示すように、ブラケット６は、開口幅方向（巻取シャフト３の長さ方向）に直交して延びる板状の面部６０と、面部の周縁の所定部位を折り曲げてなる取付片６１〜６５と、を備えている。ブラケット６は、サッシ枠８側に形成された支持構造に対して取り付けられており、ブラケット６の前側部位が建物外壁から持ち出し状に延びている。巻取シャフト３の長さ方向端部はブラケット６の面部６０に支持されている。左右のブラケット６の周辺部位間には、２本の上側ケース横材７０、７１と、１本の下側ケース横材７２が、架け渡してある。
【００１８】
上側ケース横材７０の長さ方向端部は、ブラケット６の前側かつ上側の隅部に位置して、取付片６１に対してリベットで固定されており、ケース上面板１０の前側部位と、ケース前面板１１の上側部位と、によって形成される隅部に離間対向するように延設されている。上側ケース横材７１の長さ方向端部は、ブラケット６の後側かつ上側の隅部に位置して、取付片６３に対してリベットで固定されている。下側ケース横材７２の長さ方向端部は、ブラケット６の後側かつ下側の隅部に位置して、取付片６４、６５に対してリベットで固定されている。
【００１９】
シャッターケース１の内面には制振部材９が固定されている。制振部材９は、開口幅方向の第１の幅Ｘ及び当該開口幅方向に直交する方向の第２の幅Ｙを備えた方形状のシート体である。制振部材９は、防振ゴムシートや樹脂シートから形成することができ、本実施形態では、制振部材９は、アルミニウムシートないしフォイルにブチルゴムシートの第１の面を貼り付けることで形成されており、ブチルゴムシートの第２の面は露出しており、粘着剤が塗布されている。このような制振部材９は、火災時の熱によって軟化する（常温下である程度の可撓性を備えていても、加熱によりさらに軟らかくなる）ものであり、加熱によって、シャッターケース１の内面から剥がれ易くなる。シャッターケースに設けられる制振部材自体は公知であって、制振部材の材料等については、特許文献１、２を参照することができる。
【００２０】
図３に示すように、制振部材９は、シャッターケース１の内面と上側ケース横材７０との間に位置するように、ケース上面板１０の前側部位の下面と、ケース前面板１１の上側部位の内面に亘って粘着剤によって接着されている。より具体的には、制振部材９の第２の幅方向の部分９０がケース上面板１０の下面に接着されており、制振部材９の第２の幅方向の部分９１がケース前面板１１の内面に接着されている。上側ケース横材７０は、制振部材９の第２の幅Ｙの中間部位の下側に位置して開口幅方向に延びている。
【００２１】
このように構成することで、制振部材９の第２の幅方向の重心位置を含む幅方向中間部位の下側に上側ケース横材７０を位置させることができ、ケース上面板１０の下面に接着した制振部材９が剥がれた場合であっても、制振部材９が上側ケース横材７０に引っ掛かることで、シャッターケース１内の下部へ落下することを防止することができる（図１０（Ｂ）参照）。図１０（Ｂ）において、ケース上面板１０の下面から剥がれて垂れ下がった部位９０´とケース前面板１１の内面から剥がれて垂れ下がった部位９１´の第２の幅方向の長さは概ね同じであり、制振部材９の重心が上側ケース横材７０上にある。
【００２２】
［Ｃ］第２実施形態
本発明の第２実施形態について、図４、図５に基づいて説明する。第２実施形態は第１実施形態の変形であり、同一の参照番号が付された部材については、第１実施形態に係る説明を援用することができる。
【００２３】
第２実施形態では、第１実施形態と同様に、制振部材９の第２の幅方向の部分９０がケース上面板１０の下面に接着されており、制振部材９の第２の幅方向の部分９１がケース前面板１１の内面に接着されている。図４に示すように、制振部材９の第２の幅方向の一部９０は、ケース上面板１０の下面に接着されていることに加えて、当該部分９０の下方に当て板９２を配置することで、ケース上面板１０と当て板９２とで当該部分９０を挟むようにしてリベット９３で固定されている。当て板９２は、開口幅方向に延びる長尺部材であり、制振部材９の第２の幅Ｙの中間部位の下面に当接させて、制振部材９とケース上面板１０と共にリベット９３で一体化されている。当て板９２は、シャッターケース１やブラケット６と同様にスチールで形成されており、所定の耐火性を備えている。
【００２４】
このように構成することで、火災時の加熱により制振部材９の接着力が落ちた場合であても、リベット９３による固定が制振部材９を落下を防止する。さらに、火災時の加熱で制振部材９が変形ないし部分的に溶融してリベット９３による固定が外れた場合であっても、制振部材９が上側ケース横材７０に引っ掛かることで、シャッターケース１内の下部へ落下することを防止することができる（図１０（Ｂ）参照）。
【００２５】
［Ｄ］第３実施形態
本発明の第３実施形態について、図６、図７に基づいて説明する。他の実施形態との間で、同一の参照番号が付された部材については、他の実施形態に係る説明を適宜援用することができる。
【００２６】
図６に示すように、巻取シャフト３及び巻取シャフト３に巻装されたシャッターカーテン４を収納する収納部は、シャッターケース１によって形成されている。シャッターケース１は、巻取シャフト３及び巻取シャフト３に巻装されたシャッターカーテン４の上側を覆うケース上面板１０と、巻取シャフト３及び巻取シャフト３に巻装されたシャッターカーテン４の前側を覆うケース前面板１１と、ケース前面板１１の下端から後方に延びるケース下面板１２と、を備えている。
【００２７】
ブラケット６は、開口幅方向（巻取シャフト３の長さ方向）に直交して延びる板状の面部６０と、面部６０の周縁の所定部位を折り曲げてなる取付片６１´〜６５´と、を備えている。ブラケット６は外壁Ｗに設けた被掛止金具８０に対して取り付けられている。巻取シャフト３の長さ方向端部はブラケット６の面部６０に支持されている。図６に示すように、左右のブラケット６の周辺部位間には、２本の上側ケース横材７０、７１と、２本の下側ケース横材７３、７４が、架け渡してある。
【００２８】
上側ケース横材７０の長さ方向端部は、ブラケット６の前側かつ上側の隅部に位置して、取付片６１´に対してリベットで固定されており、ケース上面板１０の前側部位と、ケース前面板１１の上側部位と、によって形成される隅部に離間対向するように延設されている。上側ケース横材７１の長さ方向端部は、ブラケット６の後側かつ上側の隅部に位置して、取付片６３´に対してリベットで固定されている。下側ケース横材７３の長さ方向端部は、ブラケット６の下側の前後方向中間部に位置して、取付片６５´に対してリベットで固定されており、まぐさ部を形成している。下側ケース横材７４の長さ方向端部は、ブラケット６の前側かつ下側の隅部に位置して、取付片６５´に対してリベットで固定されている。
【００２９】
図６に示すように、制振部材９は、シャッターケース１の内面と上側ケース横材７０との間に位置するように、ケース上面板１０の前側部位の下面と、ケース前面板１１の上側部位の内面に亘って粘着剤によって接着されている。より具体的には、制振部材９の第２の幅方向の部分９０がケース上面板１０の下面に接着されており、制振部材９の第２の幅方向の部分９１がケース前面板１１の内面に接着されている。図示の態様では、複数枚の制振部材９が開口幅方向に間隔を存して配置されている。上側ケース横材７０は、制振部材９の第２の幅Ｙの中間部位の下側に位置して開口幅方向に延びている。
【００３０】
このように構成することで、制振部材９の第２の幅方向の重心位置を含む幅方向中間部位の下側に上側ケース横材７０を位置させることができ、ケース上面板１０の下面に接着した制振部材９が剥がれた場合であっても、制振部材９が上側ケース横材７０に引っ掛かることで、シャッターケース１内の下部へ落下することを防止することができる（図１０（Ｂ）参照）。
【００３１】
［Ｅ］第４実施形態
本発明の第４実施形態について、図８、図９に基づいて説明する。他の実施形態との間で、同一の参照番号が付された部材については、他の実施形態に係る説明を適宜援用することができる。第４実施形態において、シャッターケース１、ブラケット６の構成は第３実施形態と類似しており、同一の参照番号が付された部材については、第３実施形態の説明を援用することができる。
【００３２】
図８に示すように、ブラケット６の上辺の前後方向中間部位には、上側ケース横材７５が設けてある。上側ケース横材７５の長さ方向端部は、取付片６２´に対してリベットで固定されている。ケース上面板１０の下面には、制振部材９の第２の幅Ｙの中間部位の下側に上側ケース横材７５が位置するように、制振部材９が粘着剤によって接着されている。図８に示すように、制振部材９は第２の幅方向において、上側ケース横材７５に対して後側の部分９０Ａと、上側ケース横材７５に対して前側の部分９０Ｂと、からなる。
【００３３】
このように構成することで、制振部材９の第２の幅方向の重心位置を含む幅方向中間部位の下側に上側ケース横材７５を位置させることができ、ケース上面板１０の下面に接着した制振部材が剥がれた場合であっても、制振部材９が上側ケース横材７５に引っ掛かることで、シャッターケース１内の下部へ落下することを防止することができる（図１０（Ａ）参照）。図１０（Ａ）において、ケース上面板１０の下面から剥がれて垂れ下がった部位９０Ａ´と部位９０Ｂ´の第２の幅方向の長さは概ね同じであり、制振部材９の重心が上側ケース横材７５上にある。
【００３４】
図示の態様では、開口幅方向に比較的短尺の方形状の制振部材９を示したが、制振部材９の形状や寸法は限定されない。制振部材の形状は、第１の幅方向及び第２の幅方向に拡がりをもって延びる面状の部材であれば、形状は問わず、円形、横長円形、平行四辺形等、いかなる形状であってもよい。図示の態様では、複数枚の制振部材９が開口幅方向に間隔を存して配置されているが、開口幅方向に延びる１枚の制振部材を用いてもよい。第１実施形態及び第２実施形態、第３実施形態及び第４実施形態と、２種類のシャッターケースを示したが、本発明に係るシャッターケースは、建物躯体から持ち出し状に延びる左右のブラケット間に支持された巻取シャフトの上側を覆うケース上面板と、該巻取シャフトの前側を覆うケース前面板と、を備えていればよく、シャッターケースの形状・構成は限定されない。同様に、２種類のブラケットを示したが、建物躯体から持ち出し状に延びて、その間に巻取シャフトを支持するものであればよく、ブラケットの形状・構成（面部の形状や取付片の折曲形成部位等）、取付構造（建物躯体にどのように取り付けられているか等）は限定されない。ケース横材において、図示の態様では、略Ｌ型アングル材から形成されたケース横材が示してあるが、ケース横材の断面形状も図示の形状に限定されるものではなく、例えば、角パイプ状、円筒パイプ状の長尺部材であってもよい。
【符号の説明】
【００３５】
１  シャッターケース
３  巻取シャフト
６  ブラケット
７０  上側ケース横材
７５  上側ケース横材
９  制振部材
１０  ケース上面板
１１  ケース前面板
【図１】
0005919058.tif 000002
【図２】
0005919058.tif 000003
【図３】
0005919058.tif 000004
【図４】
0005919058.tif 000005
【図５】
0005919058.tif 000006
【図６】
0005919058.tif 000007
【図７】
0005919058.tif 000008
【図８】
0005919058.tif 000009
【図９】
0005919058.tif 000010
【図１０】
0005919058.tif 000011
【図１１】
0005919058.tif 000012